(57)【要約】      （修正有）【課題】文字データなどの文字群を表示する際に、その文字データの文字数が表示面の大きさに比して数多く、且つ、表示すべき文字データの数が多くても、ユーザーは文字データの内容を正しく把握することができ、且つ、当該出力中の文字データが文字データ全体にとってどこに位置しているかが判る文字データ表示手段の提供。【解決手段】制御手段８が、記録媒体１８からの文字データに係る文字情報のファイルネームを読み出し、そのファイルネームに係る文字データに基づいて音声出力手段であるスピーカ１３から音声出力させ、且つ、スピーカ１３から音声出力されているファイルネームのファイルネーム全体に対する位置を位置表示手段の表示手段１０でダミー図形によって表示する構成とした。【選択図】図１
2007102720.tif 000002
【特許請求の範囲】
【請求項１】
複数の文字からなる、複数個の文字群に係る文字データに基づき、前記複数個の文字群に係る文字情報を順次表示する装置であって、
複数個の文字群を個々に音声で出力する音声出力手段と、複数個の文字群の並びを模式的に表示する位置表示手段と、複数個の文字群のうちの一を音声で出力させ、且つ、その一の文字群の複数個の文字群全体に対する位置を前記位置表示手段で表示させるように制御を行う制御手段から構成される文字データ表示装置。
【請求項２】
前記位置表示手段の表示面の広さは一定であり模式的に表示すべき文字群の数が大きくなると、結果的に文字群をそれぞれ模式的に表示する各表示部分の面積が小さくなって読み取り難い場合には、前記文字群の模式表示を複数の回に分け、スクロールさせて表示を行う構成の請求項１に記載の文字データ表示装置。
【請求項３】
複数個の文字群の並びの模式的な表示が、前記文字群の各文字群に数字、ダミー図形を対応させての表示である請求項１に記載の文字データ表示装置。
【発明の詳細な説明】
【技術分野】
【０００１】
この発明は、例えば記録媒体に記録されたファイルのファイルネームといった文字データを受け、その文字データに係る文字情報を順次表示する文字データ表示装置に関し、特に、表示を行う表示面の広さに比して表示対象の文字群を構成する文字の数が極めて多く、且つ、表示対象の文字情報の数が多い場合であっても、それら文字データの内容を簡便に知ることが可能で、且つ、その時点において表示対象になっている文字データの文字データ全体における位置を知り得る文字データ表示装置に関する。
【背景技術】
【０００２】
今日では、記録媒体に、音声データ、映像データ、実験によって得たデータ等、各種のデータの記録を行うことが広く行われている。
他方、記録媒体はその記憶容量が急激に増加して来ており、一つの記録媒体に複数のデータを記録することが行われている。つまり、一つの記録媒体に、複数のファイルが作られる使い方が行われている。  
【０００３】
そこで、一つの記録媒体に数多くのファイルを作る場合に、各ファイルが相異なって特定されるようにするためには、文字数の多いファイルネーム（文）を作ることになる。
つまり、各ファイルネームをそれぞれ他のファイルネームと識別して特定可能となるように、各ファイルネームは文字数の多い長いものにならざるを得ない。
具体的には、例えば、日本文字によってファイルネームを表示する場合には漢字かな混じり文で百文字程度を使用し、欧米文字によってファイルネームを表示する場合には二百数十文字を使用する必要が生じることがある。
【０００４】
あるファイルに対して、例えば漢字かな混じり文で文字数が百文字程度のファイルネームを作成して記録するには、ファイルネームに係るデータを記録するエリアの容量を増加させることによって、記録は可能になる。
しかしながら、ファイルからファイルネームのデータを読み出してその文字情報を表示する際に、限られた広さの表示面に百文字程度の文字からなるファイルネームを表示させようとすると、各文字の占め得るスペースは小さくなって文字が小さくなり、結果的にそのファイルネームは読み取り難い、或いは、読み取れないという問題が生じて来る。
【０００５】
多数の文字からなる文字情報を広さの限られた表示面に表示させ、よって、表示される各文字が小さくなるが、その文字情報の読み取りに支障が生じ難いようにさせた技術として、以下の公報で開示されている。
【０００６】
【特許文献１】特開平９−２０５３７６号公報
【発明の開示】
【発明が解決しようとする課題】
【０００７】
特開平９−２０５３７６号公報において開示されている、限られた広さの表示面で複数の文字を読み取り易くするための発明は、複数行の文字群を１行に結合し、且つ、その結合の部分に空白スペースを作らず、更に、スクロール表示する構成である。
【０００８】
特開平９−２０５３７６号公報で開示の発明に係る技術思想は、表示すべき複数の文字情報を、可能な限り少ない行で且つ空白スペースを含まずに表示すると受け取ることができる。
斯かる構成の技術思想に基づけば、表示面上で不要な空白スペースを抑えることが可能になり、その分表示すべき文字をそれぞれ大きく表示することが可能である。
よって、結果的に、ユーザーは表示された文字情報をより簡便により誤解が少なく読み取ることが可能になる。
【０００９】
しかしながら、特開平９−２０５３７６号公報で開示の発明は、表示可能な文字の数が３１文字であって、例えば漢字かな混じる文字で百文字程度、欧英文字で二百数十文字程度というサイズの大きい文字情報を表示面に表示するには、当該発明の技術思想を活用することは難しい。
殊に、目的のファイルを捜すために、ファイルネームに係る複数の文字データを連続的に取り扱う場合には、複数の文字からなるファイルネームを数多く目で追うことになり、その分、ファイルネームを読み取るのに多大な集中力が必要となり、多くのファイルネームの読み取りでは間違いが生じ易いという問題が考えられる。
【００１０】
この発明は、上記の事情に鑑みてなされたものであって、広さの限られた表示面が与えられ、複数個の文字からなる、複数の文字群に係る文字情報を順次表示させ、その中から目的とする文字情報に係るファイルを簡便で間違いなく探し出すことが可能な文字データ表示装置を提供するものである。
【課題を解決するための手段】
【００１１】
この発明は、複数の文字からなる、複数個の文字群に係る文字データに対して、前記複数個の文字群を音声で順次出力させ、且つ、その音声出力に係る文字群の前記複数個の文字群における位置を表示するように構成した文字表示装置である。
【００１２】
その詳細な構成は、複数の文字からなる、複数個の文字群に係る文字データに基づき、前記複数個の文字群に係る文字情報を順次表示する装置であって、複数個の文字群を個々に音声で出力する音声出力手段と、複数個の文字群の並びを模式的に表示する位置表示手段と、複数個の文字群のうちの一を音声で出力させ、且つ、その一の文字群の複数個の文字群全体に対する位置を前記位置表示手段で表示させるように制御を行う制御手段から構成される文字データ表示装置である。
【００１３】
斯かる構成の文字データ表示装置では、各文字データに基づいて文字情報が音声で出力され、且つ、その音声出力文字情報に係る文字データの文字データ全体に対してどこに位置しているかが表示される。
又、表示手段の表示面の広さは一定であり模式的に表示すべき文字群の数が大きくなる場合には、結果的に文字群をそれぞれ模式的に表示する各表示部分の面積が小さくなって読み取り難くなることに対して、前記各表示部分の面積を一定に保ち、前記文字群の模式表示を複数の回に分け、スクロールさせて表示を行う構成が挙げられる。
ここでいうスクロールの機能は、上記の文字データが多い場合のみならず、音声出力を速送りしたい場合等に対しての機能として使用することも可能である。
【００１４】
位置表示手段における文字データ群の模式的な表示とは具体的に、各文字データに番号を付しその番号を表示する構成、各文字データに順序を付けてその順序にダミー図形を対応させ、読み出しの文字データに対応する特定のダミー図形がダミー図形全体に対して明示される構成等が挙げられる。
【００１５】
斯かる構成により、文字情報が音声出力されている文字データに係る表示は、表示面に数字、ダミー図形等として特定して明示される。
ここで、ダミー図形とは、表示面の広さの制約によって文字情報そのものを表示させることができないこととに対して、その文字情報の存在を図形を用いて代わりに示すものを言う。
又、ダミー図形は具体的に、○印、△印、☆印、□印及び▽印等が挙げられる。
【発明の効果】
【００１６】
この発明は、表示面の広さに比して遙かに数多くの文字データが与えられ且つその各文字データが数多くの文字からなる場合に、音声出力手段がその文字データの文字情報を順次音声で出力し、且つ、位置表示手段がその音声出力されている文字データの文字データ全体に対する位置を模式的に表示するので、ユーザーは、文字データの文字情報を音声によって聞き取り、且つ、その音声出力に係る文字データの文字データ全体に対する位置を知ることができることになり、表示面の広さが限定され、且つ、文字データが例えば漢字かな交じりで百字を越えるような文字数の多い文字群に係るものであっても、各文字データを間違いなく知ることができ、且つ、音声出力されている文字データの位置が模式的に知ることができ、よって、目的の文字情報を簡便に確実に探すことのできる文字データ表示装置である。
【発明を実施するための最良の形態】
【００１７】
この発明を、図面に示す最良の形態に基づき説明する。しかし、この形態によって、この発明が限定されるものではない。
文字データ表示装置１は、図１に示すように、音声データの記録・再生装置２に備えられている。
記録・再生装置２は、マイクロホン３と、アンプ４と、Ａ／Ｄ変換器５と、デジタル信号プロセッサ６（以下、ＤＳＰ６と称する）と、バッファメモリ７と、制御手段８と、操作手段９と、表示手段１０と、文字データ表示装置１と、Ｄ／Ａ変換器１１と、アンプ１２と、スピーカ１３を備えて構成されている。
尚、制御手段８と表示手段１０の間には、ドライバ１４が介在されている。
【００１８】
又、Ａ／Ｄ変換器５とＤＳＰ６の間、及び、ＤＳＰ６とＤ／Ａ変換器１１の間には、データを送るためのバス１５が介在されている。
ＤＳＰ６とバッファメモリ７の間には、データを送るためのバス１６が介在されている。  ＤＳＰ６と制御手段８の間には、データを送るためのバス１７が介在されている。
【００１９】
又、１８はデータを蓄えるための記録媒体であって、具体的には半導体メモリである。記録媒体１８は、記録・再生装置２に対して着脱可能な構成になっている。つまり、ユーザーは記録・再生装置２に対して任意の記録媒体１８を使用することが可能であり、斯かる構成によって、所望の記録媒体１８に記録と再生が可能になっている。
バッファメモリ７と記録媒体１８の間には、データを送るためのバス１９が介在されている。
【００２０】
文字データ表示装置１は、記録媒体１８に記録されている各ファイルのファイルネーム（文字情報）を順次表示し、各ファイルを特定するためのものである。
ここで、記録媒体１８は容量が８ＧＢと大きく、ファイル数が例えば１００単位の数である。従って、各ファイルを特定可能とするために、ファイルネームは漢字かな混じり文で１００文字程度、欧英文字で２５０文字程度の文字で作られている。
文字データ表示装置１は、音声出力手段と、位置表示手段と、制御手段８から構成されている。
【００２１】
文字データ表示手段１の音声出力手段は、記録媒体１８の各ファイルのファイルネームを順次読み出し、それら読み出したファイルネームを個々に音声で出力するものである。
文字データ表示手段１の音声出力手段は、バッファメモリ７と、ＤＳＰ６と、Ｄ／Ａ変換器１１と、アンプ１２及びスピーカ１３から主に構成されている。
【００２２】
文字データ表示手段１の位置表示手段は、記録媒体１８の各ファイルのファイルネームの並びを模式的に表示するものである。つまり、ファイルの数が表示面の面積に比して極めて大きいことから、ファイルを表す番号若しくはダミー図形を各ファイルに対応付けて表示するように構成されている。
文字データ表示手段１の位置表示手段は、バッファメモリ７と、ＤＳＰ６と、メモリ手段２０と、ドライバ１４及び表示手段１０から主に構成されている。
【００２３】
尚、表示手段１０は、セグメントではなくドットマトリックスによって液晶表示される構成である。２１は、表示手段１０の表示面である。
表示手段１０が位置表示手段として機能する時は、記録媒体１８に記録されているファイル１、ファイル２、ファイル３、ファイル４、ファイル５、・・・に対応して表示面２１に○印、△印、☆印、□印、▽印、・・・のダミー図形がこの順序で四回繰り返して並び、結果的に、各行に２０個のダミー図形つまり２０個のファイルの存在を表示している。
【００２４】
そして、これと同じ行が５列だけ並び、結果的に、合計１００個のファイルに対応するダミー図形が並ぶように構成されている。
加えて、制御手段８が、記録媒体１８に記録されているファイルの数が１００を越えると判断した場合には、ダミー図形の最大表示を１００として、記録媒体１８の１番目から１００番目のファイルに対応するダミー図形を表示する。
【００２５】
１番目のファイルから始まって１００番目のファイルについてのファイルネームがスピーカ１３から音声出力され、その音声出力に対応するダミー図形による位置表示が表示手段１０で終了すると、制御手段８は、表示面２１をスクロールさせ、記録媒体１８の１０１番目以降のファイルに係るダミー図形を表示手段１０が表示するように制御する構成になっている。
勿論、制御手段８は、音声出力手段に、１０１番目からのファイルネームを音声出力させる。
【００２６】
尚、記録媒体１８の１０１番目以降のファイルに係る音声出力は、上記スクロールの際に一時停止する。しかし、１０１番目以降のファイルに係るダミー図形を表示手段１０が表示すると、１０１番目以降のファイルに対して音声出力を再開する。
尚、表示面２１に係るスクロールの機能は、文字データが多い場合のみならず、音声出力を速送りしたい場合等に対しての機能として使用することも可能な構成になっている。
【００２７】
文字データ表示手段１における制御手段８は、記録媒体１８の各ファイルのうちの一のファイルネームを前記音声出力手段によって音声出力させ、且つ、その一のファイルをファイル全体に対する位置を前記位置表示手段によってダミー図形で表示手段１０に表示させるように制御を行うものである。
尚、メモリ手段２０には、ファイル全体を表示手段１０に表示した際に、各ファイルのファイルネーム、各ファイルを示す数字、ダミー図形、ファイルネームに係る文字データを音声出力する際に必要とする音声データ等の情報が記録されている。
【００２８】
２２は、記録・再生装置２の装置本体であり、装置本体２２の側部に記録媒体１８を格納する凹部（図示省略）が設けられている。
蓋体２３は、前記凹部の開口を閉塞するもので、装置本体２２に対して矢印Ｘ方向に回動して前記開口に対して開と閉の位置をとる。
２４は、文字データの入力キーであって、携帯電話のメイル機能の文字データ入力キーと実質的に同じ構成である。
【００２９】
ユーザーは、記録・再生装置２において記録媒体１８にデータを記録してファイルを作成する場合、文字用の入力キー２４を用いて当該ファイルのファイルネームを作成することが可能になっている。
尚、記録・再生装置２は、入力キー２４でファイルネームを作成している際、ユーザーは表示手段１０による表示を見て、その入力した内容を確認できる機能を備えた構成も挙げられる。又、作成すべきファイルネームが長い場合つまりファイルネームの文字数が多過ぎて面積が一定の表示面２１に表示するには各文字が読み取り難いほどに小さくなる場合には、作成中のファイルネームを部分的に表示手段１０で表示することによって全体を確認できる構成も挙げられる。
【００３０】
文字データ表示装置１及び記録・再生装置２は、上述したように構成されている。以下において、その機能を説明する。
ユーザーは、文字データが記録された記録媒体１８を記録・再生装置２に装着し、続いて、操作手段９を操作して記録・再生装置２のメイン電源をＯＮにする。
ここで、記録・再生装置２は、出力可能な状態になる。
【００３１】
ユーザーは続いて、操作手段９によって、記録媒体１８のファイルの各ファイルネームを表示するように操作する。
ここで、制御手段８は、操作手段９から斯かる内容の命令の信号を受け取ると、ＤＳＰ６に記録媒体１８から全ファイルの各ファイルネーム（文字情報）を読み取ることを命令する。
【００３２】
ＤＰＳ６は、制御手段８からの命令信号に基づき、記録媒体１８からファイルの記録順序で各ファイルネームを読み出し、制御手段８に送る。
この時、バッファメモリ７は、記録媒体１８からのファイルネームに係る文字データを一時保持し、順序正しくタイミングを合わせてＤＳＰ６に送るように機能する。
【００３３】
制御手段８は、ＤＳＰ６からファイルネームに係る文字データを受け取ると、その文字データをメモリ手段２０に一時蓄えさせる。
ここで、制御手段８は、メモリ手段２０に蓄えている文字データに基づいて、前記音声出力手段及び前記位置表示手段を出力させるように制御する。
【００３４】
ここで、前記音声出力手段の機能については、メモリ手段２０の文字データが順次、制御手段８を介して、ＤＳＰ６及びバス１５を通ってＤ／Ａ変換器１１に送られる。
Ｄ／Ａ変換器１１は、ファイルネームに係る前記文字データを受け取るとアナログ信号に変換してアンプ１２に順次送る。
【００３５】
アンプ１２は、Ｄ／Ａ変換器１１から前記文字データに係るアナログ信号を受け取ると増幅加工し、スピーカ１３に順次送る。
スピーカ１３は、アンプ１２からの増幅されたアナログ信号を受け取ると、音声に変換して順次出力する。
【００３６】
ここで、ユーザーは、音声出力手段としてのスピーカ１３からファイルネーム（文字情報）を音声を聞き、この音声で示されたファイルネームによって、そのファイルネームに対応するファイルが記録媒体１８に記録されていることを知ることができる。
又、ユーザーがその記録媒体１８のファイルについて記憶がある場合では、スピーカ１３からファイルネームを聞いて、それが目的としてるファイルであるか否かを判断することができる。
【００３７】
他方、前記位置表示手段の機能については、制御手段８は、記録媒体１８から文字データを読み出した際にその文字データの数、つまり、ファイルネームの数をカウントし、その数を予めメモリ手段２０に記録させる。
制御手段８は、まず最初に、ここで得たファイルネームの数つまりファイルの数に対応するダミー図形からなるマトリックスを作成し、ドライバ１４にその該当するダミー図形のマトリックスを表示手段１０で表示するように命令信号を出力する。
【００３８】
ここで、音声出力手段が上述したように機能すると、ファイルネームに係る文字データは順次つまり一つずつ順番に、ＤＳＰ６、バス１５、Ｄ／Ａ変換器１１、アンプ１２で所定の信号処理をされてスピーカ１３に送られる。
この時、制御手段８は、音声出力用の文字データの流れと対応付けて、ドライバ１４に、当該文字データが文字データ全体に対してどこに位置しているか？（全体で何番目であるか？）、を示すための制御信号を送る。
【００３９】
ドライバ１４は、制御手段８からの制御信号を受け取ると、前記のダミー図形のマトリックスに加えて、その時点で制御手段８において読み出されているファイルネームに対応するダミー図形を、他のダミー図形と区別をつけるように、ダミー図形の中央空白部が埋まった表示にして当該ダミー図形を明示する。
【００４０】
つまり、例えばｎ番目から連続する５個の文字データ（ファイルネーム）について、ダミー図形が最初、『○、△、☆、□、▽』と対応して並んでいる場合に、前記音声出力手段がｎ番目のファイルネームを音声出力すると、前記位置表示装置の表示面２１は『●、△、☆、□、▽』を示す。
同様に、音声出力手段がｎ＋１番目、ｎ＋２番目、ｎ＋３番目、ｎ＋４番目と次々とファイルネームを音声で出力して行くと、位置表示装置の表示面２１はそれぞれに対応して、『○、▲、☆、□、▽』、『○、△、★、□、▽』、『○、△、☆、■、▽』、『○、△、☆、□、▼』と明示のダミー図形の位置が移動する。
【００４１】
ここで、ユーザーは、前記音声出力手段の機能によって記録媒体１８に記録されているデータ（ファイル）のファイルネームを音声で聞き、且つ、同時に前記位置表示手段の機能によって記録媒体１８に記録されているデータのうちその時に音声で出力されたファイルのファイル全体に対する位置を表示手段１０の表示面２１から視覚的に見て取ることができる。
【００４２】
従って、ユーザーは、記録媒体１８に記録されているファイルについて、スピーカ１３からの音声によって各ファイルのファイルネームを知ることができ、且つ、その音声で示されているファイルがファイル全体においてどこに位置するかを表示手段１０に表示されるダミー図形によって知ることができる。
【００４３】
よって、文字データ表示装置１は、或るファイルネームを表示手段１０の表示面１０にそのまま表示すると各文字が小さく表示されて読み取り難いほどに、そのファイルネームを構成する文字の数が遥かに多い場合であっても、更には、ファイルネームの数が非常に多くても、ユーザーはファイルネームをスピーカ１３から音声による文言で知り、且つ、当該ファイルの位置を表示面２１から視覚的に知ることができ、目的とするファイルを探し出すことが可能になっている。
ここで、ユーザーは、文字データ表示装置１によって記録媒体１８の中から目的のファイル（音楽データ）を探すと、そのファイルを指定して再生を行う。
【００４４】
ユーザーは、操作手段９によって、探し出したファイル（音楽データ）の再生の操作を行う。
ここで、制御手段８がＤＳＰ６にデータ再生の命令信号を送ると、ＤＳＰ６は、バス１６、バッファメモリ７及びバス１９を介して記録媒体１８から所望するファイル（音声データ）を読み出し、バス１５を介してＤ／Ａ変換器１１に送る。
Ｄ／Ａ変換器１１は、受け取ったデジタル信号をアナログ信号に変換し、アンプ１２に送る。
【００４５】
アンプ１２は、受け取ったアナログ信号のボリュームを所望のレベルに加工し、スピーカ１３に送る。
スピーカ１３は、アンプ１２からのアナログの信号を音声に変換し、ファイルネームを音声として出力する。
他方、この時、表示手段１０では、再生されているファイルがファイル全体としてどの位置にあるかを明示し続けている。
【００４６】
従って、ユーザーは、記録媒体１８に記録されているファイル（データ）のファイルネームを音声で知ると共に、その音声で出力されているファイルネームに係るファイルがファイル全体としてどこに位置しているかを、表示手段１０に表示されているダミー図形の明示で知ることが可能になっている。
【００４７】
尚、記録・再生装置２は、マイクロホン３と、アンプ４及びＡ／Ｄ変換器５を有し、データを記録する機能も備えられている。
つまり、マイクロホン３は、音声を受け取ると電気信号に変換してアンプ４送る。アンプ４は、前記電気信号を所定レベルに増幅してＡ／Ｄ変換器５に送る。
【００４８】
ここで、Ａ／Ｄ変換器５からの音声データに係る電気信号は、ＤＳＰ６によって、バッファメモリ７等を介して記録媒体１８に記録される。
このデータを記録して、操作手段９を操作してそのファイルに対応するファイルネームを作成する場合、文字データ表示装置１を作用させ、表示手段１０をモニターとして使用することが可能である。
つまり、ファイルネームが長文である場合には、例えば２０文字ずつ表示手段１０に表示させ、それらを繋ぎ合せてファイルネームを作成する。
【００４９】
ここで、文字データ表示装置１は、ファイルネームの作成が完了すると、そのファイルネームに対応するファイルがファイル全体としてどこに位置するか？、何番目のファイルか？、を表示手段１０でダミー図形によつて表示させることが可能である。
又、文字データ表示装置１は、ファイルネームの作成が完了すると、そのファイルネームを前記音声出力手段によって音声出力させ、ファイルネームの内容を確認することが可能になっている。
【００５０】
文字データ表示手段１は、対象とする文字データはファイルネームを示す文字群に係るものであるが、ファイルネームは日本語であっても、他の言語であってもよい。
又、文字データ表示手段１は、表示手段１０において、ファイル全体及び出力中のファイルネームを○、△、☆、□、▽のダミー図形で表現しているが、他の図形であってもよく、又、数字、数字を意味したりなぞった図形等であってもよい。
【図面の簡単な説明】
【００５１】
【図１】この発明の最良の実施の一形態において、記録媒体が接続された記録・再生装置に組み込まれている状態の構成を説明するブロック図である。
【図２】図１に示す形態の外観を示す斜視図である。
【符号の説明】
【００５２】
１        ：文字データ表示装置
２        ：記録・再生装置
６        ：デジタル信号プロセッサ（ＤＳＰ、データ記録手段で且つデータ再生手段）
８        ：制御手段
１０      ：表示手段（位置表示手段）
１１      ：Ｄ／Ａ変換器
１２      ：アンプ
１３      ：スピーカ（音声出力手段）
１４      ：ドライバ（位置表示手段）
１８      ：記録媒体
２０      ：メモリ手段
２２      ：録音・再生装置の装置本体
【図１】
2007102720.tif 000003
【図２】
2007102720.tif 000004